(57)【要約】【課題】表示される情報の正確性を向上させることを可能とする。【解決手段】ＨＵＤ装置２００は、無線通信インターフェース２０４に受信した画像を表示部２０６に表示させ、また、無線通信インターフェース２０４に非表示情報を受信した場合に前記画像を非表示とする制御部２０１を備える。制御部２０１は、前記画像あるいは前記非表示情報を無線通信インターフェース２０４に所定時間受信しない場合に携帯電話１００に応答情報を要求する応答要求情報を無線通信インターフェース２０４から送信し、携帯電話１００から無線通信インターフェース２０４に前記応答情報を受信した場合は前記応答情報に基づいて前記画像の表示維持あるいは非表示を決定し、携帯電話１００から無線通信インターフェース２０４に前記応答情報を受信しない場合は前記画像を非表示とする。【選択図】図１
2015060135.tif 000002
【特許請求の範囲】
【請求項１】
所定の画像を表示するアプリケーションを備えた携帯端末と通信可能に接続される車両用表示装置であって、
各種情報を表示する表示部と、
前記アプリケーションを実行中の前記携帯端末から前記画像あるいは前記画像を非表示とする非表示情報を受信可能な受信部と、
前記画像を記憶する記憶部と、
前記受信部に受信した前記画像を前記表示部に表示させ、また、前記受信部に前記非表示情報を受信した場合に前記画像を非表示とする制御部と、を備え、
前記制御部は、前記画像あるいは前記非表示情報を前記受信部に所定時間受信しない場合に前記携帯端末に応答情報を要求する応答要求情報を送信部から送信し、前記携帯端末から前記受信部に前記応答情報を受信した場合は前記応答情報に基づいて前記画像の表示維持あるいは非表示を決定し、前記携帯端末から前記受信部に前記応答情報を受信しない場合は前記画像を非表示とすることを特徴とする車両用表示装置。
【請求項２】
前記制御部は、前記携帯端末から前記受信部に前記応答情報が受信されない場合に繰り返し前記応答要求情報を送信し、前記応答要求情報を所定回数送信しても前記携帯端末から前記受信部に前記応答情報が受信されない場合に、前記画像を非表示とすることを特徴とする請求項１に記載の車両用表示装置。
【請求項３】
所定の画像を表示するアプリケーションを備える携帯端末と、各種情報を表示する車両用表示装置とが互いに通信可能に接続される車載システムであって、
前記携帯端末は、前記アプリケーションを実行中に前記画像あるいは前記画像を非表示とする非表示情報を前記車両用表示装置に送信し、
前記車両用表示装置は、前記画像を記憶部に記憶し、受信した前記画像を表示部に表示させ、また、前記非表示情報を受信した場合に前記画像を非表示とし、また、前記画像あるいは前記非表示情報を所定時間受信しない場合に前記携帯端末に応答情報を要求する応答要求情報を送信し、前記携帯端末から前記応答情報を受信した場合は前記応答情報に基づいて前記画像の表示維持あるいは非表示を決定し、前記携帯端末から前記応答情報を受信しない場合に前記画像を非表示とすることを特徴とする車載システム。
【発明の詳細な説明】
【技術分野】
【０００１】
本発明は、車両用表示装置及び車載システムに関する。
【背景技術】
【０００２】
近年、携帯電話に代表される携帯端末は高度に発達し、電話をかける、メールをする、ウェブブラウジングを楽しむ等の機能は当たり前となり、さらにＧＰＳ（Global  positioning  system）によるナビゲーション機能を備えるものも普及している。
携帯端末のうち、前述のような多様な機能を有する高性能な携帯電話はスマートフォンと称され、世界中で急速に普及している。スマートフォンはいわば小型のコンピュータであり、１台で従来は屋内で使用していたアプリケーションを容易に屋外でも使用することができるため、様々な機能をいつでも、どこでも、どのような状況でも使用したいというニーズは今後も高まっていくと考えられる。
【０００３】
このような携帯端末を車両内でも利用するにあたり、例えば特許文献１には、携帯端末装置が生成した交通情報、ナビゲーション情報、動画、音楽などに関する画像データを車載ディスプレイ（表示部）に表示する車載ディスプレイ制御装置が開示されている。
【先行技術文献】
【特許文献】
【０００４】
【特許文献１】特開２００９−２８１９９１号公報
【発明の概要】
【発明が解決しようとする課題】
【０００５】
前述の技術においては、携帯端末装置が画像データの更新や消去のタイミングを管理し、画像データの更新や消去を指示する情報を車載ディスプレイ制御装置側に送信することが考えられる。しかしながら、携帯電話に代表される携帯端末装置は他の車載機器と比較して、機能が停止または強制終了する可能性が高く、車載ディスプレイに画像データを表示中に携帯端末装置が機能停止等すると、画像データが消去されずに情報の正確性が損なわれるという点で、改良の余地があった。
【０００６】
本発明は、上記の問題点に鑑みてなされたものであり、携帯端末で表示される画像を車両用表示装置の表示部に表示する際に、表示される情報の正確性を向上させることが可能な車両用表示装置及び車載システムを提供することを目的とする。
【課題を解決するための手段】
【０００７】
上記の課題を解決するため、本発明の車両用表示装置は、所定の画像を表示するアプリケーションを備えた携帯端末と通信可能に接続される車両用表示装置であって、
各種情報を表示する表示部と、
前記アプリケーションを実行中の前記携帯端末から前記画像あるいは前記画像を非表示とする非表示情報を受信可能な受信部と、
前記画像を記憶する記憶部と、
前記受信部に受信した前記画像を前記表示部に表示させ、また、前記受信部に前記非表示情報を受信した場合に前記画像を非表示とする制御部と、を備え、
前記制御部は、前記画像あるいは前記非表示情報を前記受信部に所定時間受信しない場合に前記携帯端末に応答情報を要求する応答要求情報を送信部から送信し、前記携帯端末から前記受信部に前記応答情報を受信した場合は前記応答情報に基づいて前記画像の表示維持あるいは非表示を決定し、前記携帯端末から前記受信部に前記応答情報を受信しない場合は前記画像を非表示とすることを特徴とする。
【０００８】
上記の課題を解決するため、本発明の車載システムは、所定の画像を表示するアプリケーションを備える携帯端末と、各種情報を表示する車両用表示装置とが互いに通信可能に接続される車載システムであって、
前記携帯端末は、前記アプリケーションを実行中に前記画像あるいは前記画像を非表示とする非表示情報を前記車両用表示装置に送信し、
前記車両用表示装置は、前記画像を記憶部に記憶し、受信した前記画像を表示部に表示させ、また、前記非表示情報を受信した場合に前記画像を非表示とし、また、前記画像あるいは前記非表示情報を所定時間受信しない場合に前記携帯端末に応答情報を要求する応答要求情報を送信し、前記携帯端末から前記応答情報を受信した場合は前記応答情報に基づいて前記画像の表示維持あるいは非表示を決定し、前記携帯端末から前記応答情報を受信しない場合に前記画像を非表示とすることを特徴とする。
【発明の効果】
【０００９】
本発明によれば、携帯端末で表示される画像を車両用表示装置の表示部に表示する際に、表示される情報の正確性を向上させることが可能となる。
【図面の簡単な説明】
【００１０】
【図１】本発明の実施形態である車載システムの構成を示すブロック図である。
【図２】同上実施形態に係るＨＵＤ装置を示す概略断面図である。
【図３】同上実施形態に係るＨＵＤ装置の表示例を示す図である。
【図４】同上実施形態に係る携帯電話の制御方法を示すフローチャート図である。
【図５】同上実施形態に係るＨＵＤ装置の制御方法を示すフローチャート図である。
【図６】同上実施形態に係るＨＵＤ装置の制御方法を示すフローチャート図である。
【図７】同上実施形態に係る車両に移動を示す図である。
【図８】同上実施形態に係るＨＵＤ装置の表示例を示す図である。
【発明を実施するための形態】
【００１１】
以下、本発明に係る一実施形態について図面を参照して説明する。なお、本発明は下記の実施形態（図面の内容も含む。）によって限定されるものではない。下記の実施形態に変更（構成要素の削除も含む）を加えることができるのはもちろんである。また、以下の説明では、本発明の理解を容易にするために、公知の技術的事項の説明を適宜省略する。
【００１２】
図１は、第１の実施形態に係る車載システム１０００の構成を示す図である。
車載システム１０００は、携帯電話（携帯端末の一例）１００と、車両３００に搭載されるヘッドアップディスプレイ装置（ＨＵＤ装置；車両用表示装置の一例）２００と、から構成されている。携帯電話１００とＨＵＤ装置２００とは相互通信が可能なように無線接続される。なお、携帯電話１００とＨＵＤ装置２００とを相互通信が可能なように有線接続してもよい。
【００１３】
携帯電話１００は、制御部１０１、無線通信インターフェース１０２、記憶部１０３、表示操作部１０４、ＧＰＳ（Global  Positioning  System）受信部１０５、通信部１０６、アンテナ部１０７、を有する。
【００１４】
制御部１０１は、例えばマイクロコンピュータからなり、制御部１０１が実行する処理（携帯電話１００全体の制御など）を実際に行うＣＰＵ（Central  Processing  Unit）と、ＣＰＵのメインメモリとして機能するＲＡＭ（Random  Access  Memory）と、制御部１０１に後述の処理などを実行させる各種プログラムを記憶するＲＯＭ（Read  Only  Memory）と、制御部１０１に入出力される情報（信号）をＣＰＵ用にデジタル変換したり出力用にアナログ変換したりする各種変換器と、を備える。制御部１０１は、ＣＰＵに加えて、制御部１０１が行う処理の一部をＣＰＵに代わって実行するための各種専用回路（例えば、画像処理回路など）を備えても良い。
【００１５】
無線通信インターフェース１０２は、ＨＵＤ装置２００と無線接続するためのインターフェースであり、Ｂｌｕｅｔｏｏｔｈ（登録商標）や無線ＬＡＮなどの近距離無線通信が用いられる。
【００１６】
記憶部１０３は、制御部１０１が処理を実行する際に使用するデータなどを記憶する。記憶部１０３は、フラッシュメモリなどのデータを書き換え可能な不揮発性記憶媒体などを含んで構成される。記憶部１０３は、メモリーカードなどの着脱容易なものを含んでもよい。
【００１７】
表示操作部１０４は、タッチパネルを備えたディスプレイであり、画像表示を行うとともに後述のアプリケーションの実行等を行うための操作部としての機能を備える。操作部としては、他に押しボタンスイッチなどを備えてもよい。
【００１８】
ＧＰＳ受信部１０５は、ＧＰＳアンテナを有し、ＧＰＳ衛星からの送信データ（電波）を受信して現在位置を示す位置情報を生成する受信機である。すなわち、ＧＰＳ受信部１０５は、本実施形態における現在位置を取得する現在位置取得部として機能する。現在位置取得部は他の装置等を含んでもよい。ＧＰＳを用いて取得される現在位置は、公知の方法を適宜用いて取得すればよく、携帯電話の基地局の位置情報などのアシストデータを用いて適宜補正を行ってもよい。ＧＰＳ受信部１０５は、生成した現在位置を示す位置情報を制御部１０１に送信する。
【００１９】
通信部１０６は、各種復調器及び変調器を含み、例えばアンテナ部１０７を介して、インターネットなどのネットワークに接続され、外部の他の装置（例えばネットワークサーバ）からネットワークを介して供給された情報（画像やプログラムを含む）を受信して、制御部１０１に供給したり、制御部１０１が送信する情報を、ネットワークを介して他の装置に供給したりする。本実施形態においては、通信部１０６が受信する情報には、ＶＩＣＳ（登録商標）などの交通情報通信システムからの交通情報を含む。
【００２０】
本実施形態における携帯電話１００は、いわゆるスマートフォンと称される高機能携帯電話であり、制御部１０１内に複数種類のアプリケーション（プログラム）を格納しており、制御部１０１が各アプリケーションを実行することによって起動する通話機能、メール機能、ナビゲーション機能、音楽データ再生機能、写真データ再生機能、動画データ再生機能、地図表示機能あるいはウェブブラウジング機能などの多様な機能を備える。特に、本実施形態においては、携帯電話１００は、目的地までの経路案内を行うナビゲーション機能を有し、制御部１０１には、このナビゲーション機能を実行するナビゲーションアプリケーションが格納されている。携帯電話１００は、実行中のアプリケーションに対応した画像が表示操作部１０４に表示される。
【００２１】
ＨＵＤ装置２００は、マイクロコンピュータからなる制御部２０１と、コネクタ２０２と、ＣＡＮ通信インターフェース２０３と、無線通信インターフェース２０４と、記憶部２０５と、表示部２０６と、を有する。
また、ＨＵＤ装置２００は、車両３００に設けられる車両診断コネクタ３０２を介して車両側ＥＣＵ３０１から車両情報を取得するものである。取得する車両情報としては、車速、エンジン回転数、スロットル開度、水温、吸気圧、外気温、電圧値などの各種計測値が上げられるがこれらに限定されるものではない。車両側ＥＣＵ３０１は、エンジン制御などのパワー・トレイン系ＥＣＵやエアコン制御などのボディ系ＥＣＵを含む。本実施形態においては、車両診断コネクタ３０２はＯＢＤ２メスコネクタからなり、車両側ＥＣＵ３０１と車両情報取得手段２００との間でＣＡＮ通信を行うものとする。なお、車両側ＥＣＵ３０１と車両情報取得手段２００との間はＫ−ＬＩＮＥで通信するものであってもよい。
【００２２】
制御部２０１は、例えば、制御部２０１が実行する処理（ＨＵＤ装置２００の全体の制御）を実際に行うＣＰＵと、ＣＰＵのメインメモリとして機能するＲＡＭと、制御部２０１に後述の処理などを実行させる各種プログラムを記憶するＲＯＭ、制御部２０１に入出力される情報（信号）をＣＰＵ用にデジタル変換したり出力用にアナログ変換したりする各種変換器と、を備える。
【００２３】
コネクタ２０２は、車両３００に設けられる車両診断コネクタ３０２に接続可能なコネクタであり、本実施形態においては、+１２Ｖの常時電源ライン、ＣＡＮ＿Ｈ信号ライン、ＣＡＮ＿Ｌ信号ライン、アースラインの各配線を有するＯＢＤ２オスコネクタからなる。
【００２４】
ＣＡＮ通信インターフェース２０３は、車両診断コネクタ３０２を介して車両側ＥＣＵ３０１とＣＡＮ通信を行うためのインターフェースである。
【００２５】
無線通信インターフェース２０４は、携帯電話１００と無線接続するためのインターフェースであり、無線通信インターフェース１０２と同様の規格からなる。無線通信インターフェース２０４は、受信部及び送信部として機能する。
【００２６】
記憶部２０５は、車両側ＥＣＵ３０１から得られた車両情報や携帯電話１００から得られた後述するアプリケーションで表示される画像データ等を指定のメモリ領域に記憶するものである。記憶部２０５は、車両情報を示す車両情報画像を記憶するメモリ領域２０５ａと、アプリケーションで表示される画像データを記憶するメモリ領域２０５ｂと、を有する。
【００２７】
表示部２０６は、車速、走行距離等の表示情報を報知するための表示画像を表す表示光Ｌ１を出射するものであり、例えば、液晶パネルとバックライト用光源から構成される透過型液晶ディスプレイ、又は蛍光表示管や有機ＥＬパネル等の自発光型ディスプレイから構成される。
【００２８】
図２は、ＨＵＤ装置２００の構成を示す概略断面図である。
ＨＵＤ装置２００は、図２に示すように、表示部２０６と、ケース体２１０と、回路基板２２０と、反射部２３０と、コンバイナ２４０と、取付部材２５０と、を備える。
ＨＵＤ装置２００は、例えば、車両３００のダッシュボード上（例えば、インストルメントパネル上方）に取り付けられる据え置き型のＨＵＤ装置として構成されている。以下の説明では、ＨＵＤ装置２００が表示する表示画像を視認する視認者（主に運転者）４００から見て、上方向を「上」、下方向を「下」、前方向を「前」、後ろ方向を「後」、右方向を「右」、左方向を「左」として（図２の両端矢印参照）、適宜、ＨＵＤ装置２００を構成する各部を説明する。
【００２９】
ケース体２１０は、上ケース２１１と、下ケース２１２と、中ケース２１３と、を備える。上ケース２１１には開口部２１１ａが形成されており、この上ケース２１１と下ケース２１２とが連結することで上側開口の箱のような形状となる。この箱形状の内部に、表示部２０６、回路基板２２０、及び中ケース２１３が収納される。
【００３０】
上ケース２１１は、コンバイナ２４０が取り付けられる部分である平坦状の被取付部２１１ｂを有する。被取付部２１１ｂは、上ケース２１１の前側端部（図２中右端部）に位置しており、例えばネジや接着剤等でコンバイナ２４０が取り付けられる。コンバイナ２４０が被取付部２１１ｂに取り付けられると、コンバイナ２４０は、上ケース２１１から上方に延出するような格好となる。
【００３１】
下ケース２１２には、中ケース２１３が載置される。下ケース２１２には、反射部２３０の下端部に対応した形状の凹部２１２ａが形成されている。この凹部２１２ａと中ケース２１３の一部（後側の内側面）とによって反射部２３０は保持される（例えば、反射部２３０は、その一端が凹部２１２ａに差し込まれ、且つ、後側の面が中ケース２１３に粘着テープ等で固定されることで、保持されている）。また、下ケース２１２の下側の面には、取付部材２５０の後述する連結部材２５２に対応する突出部２１２ｂが形成されている。
【００３２】
中ケース２１３は、略筒状の部材であり、その外側面の一部（図２中右側）に表示部２０６が配設されている。中ケース２１３には、表示部２０６の表示面を露出させる穴である出射口２１３ａが形成されている。なお、中ケース２１３に出射口２１３ａを覆う透明な窓部材を設けてもよい。
【００３３】
回路基板２２０は、ガラス繊維を含む樹脂等からなる板状の基材に、制御部２０１，ＣＡＮ通信インターフェース２０３，無線通信インターフェース２０４，及び記憶部２０５を実装したプリント回路板である。回路基板２２０は、例えば、下ケース２１２に図示しない取付部材により固定されており、表示部２０６よりも前側であって上ケース２１１と下ケース２１２の間に位置する。回路基板２２０と表示部２０６とは、ＦＰＣ（Flexible  Printed  Circuit）２２１を介して導通接続されている。ＦＰＣ２２１の一端部はコネクタＣを介して回路基板２２０と接続されている。
【００３４】
反射部２３０は、表示部２０６の表示側、即ち表示光Ｌ１の出射側に位置し、到達した表示光Ｌ１をコンバイナ２４０に向けて反射させる。反射部２３０は、例えば、アルミ蒸着された樹脂成形品からなり、表示部２０６からの表示光Ｌ１を効率良くコンバイナ２４０に反射させる曲面として構成された反射面を有する（なお、図２では、反射面を概略的に平面のように表している）。また、反射部２３０は、前述のように凹部２１２ｂと中ケース２１３の一部とによって保持されることで、その反射面が表示部２０６の表示面と略対向するように配置されている。表示部２０６が出射した表示光Ｌ１は、出射口２１３ａを通過して反射部２３０に到達する。そして、反射部２３０で反射した表示光Ｌ１は、上ケース２１１の開口部２１１ａを通過してコンバイナ２４０に向かう。
【００３５】
コンバイナ２４０は、曲面を有する板状の部材であり、例えば主面（反射部２３０の反射面と略対向する面）に半透過反射層が成膜された透明な樹脂成型品からなるハーフミラーにより構成される。コンバイナ２４０は、その一端側（下側の端側）からコンバイナ２４０の主面（反射部２３０の反射面と略対向する面）の面内方向以外の方向に突出する突出部２４１を有する。
【００３６】
本実施形態に係る突出部２４１は、図２に示すように、コンバイナ２４０の主面のほぼ面外方向に突出しており、具体的には、視認者４００の前方（コンバイナ２４０に対して視認者４００と反対側）に向かって突出している。突出部２４１は、例えば２つあり、突出部２４１が上ケース２１１の被取付部２１１ｂにネジや接着剤等で固定されることで、コンバイナ２４０は、被取付部２１１ｂに取り付けられる。つまり、突出部２４１が、その突出する方向（つまり前方）と直交する方向から（上側から）、上ケース２１１の被取付部２１１ｂに取り付けられることで、コンバイナ２４０は、被取付部２１１ｂに取り付けられている。
【００３７】
以上のように取り付けられ、上ケース１１に固定されたコンバイナ２４０は、その凹面２４２が反射部２３０の反射面と略対向するようになる。コンバイナ２４０は、図２に示すように、反射部２３０で反射した後に、入射する表示光Ｌ１の光路を変更する（コンバイナ２４０としてハーフミラーを用いる場合は反射により表示光Ｌ１の光路を変更する）。コンバイナ２４０の凹面２４２は、表示光Ｌ１を集光する機能を有し、光を単純反射させる場合よりも、虚像を前遠方（例えば、コンバイナ２４０より約１ｍ前方）に形成することのできる曲面として構成されている。コンバイナ２４０は、その前方位置Ｆに表示画像の虚像を形成するとともに、前方からの光を透過し、これにより、ＨＵＤ装置２００は、虚像と前方に実際に存在する外景等の双方を、視認者４００に視認させることができる。
【００３８】
取付部材２５０は、ＨＵＤ装置２００を車両３００のダッシュボード上に取り付けるものであり、台座２５１と、連結部材２５２と、固定部材２５３と、を備える。
【００３９】
台座２５１は、例えば金属板から形成されており、略矩形の平板に２つの差込リブ２５１ａが立設されて形成されている（図２では１つの差込リブ２５１ａが図示されている）。２つの差込リブ２５１ａのそれぞれには、後述するピンボルト２５４が挿通されるボルト孔（図示せず）が形成されている。台座２５１は、両面テープなどのシート状の接着部材（図示せず）を介して車両のダッシュボードと接合し、ＨＵＤ装置２００をダッシュボード上に配置する。
【００４０】
連結部材２５２は、例えば硬質合成樹脂から形成され、略矩形の平板部２５２ａと、平板部７２１の前側（図１中右側）の端部に連続して形成され、内部にピンボルト２５４とこのピンボルト２５４と螺合されるナット（図示せず）とを収容する空間が形成されたスリーブ部２５２ｂと、から形成されている。平板部２５２ａには、平面中央のやや後側寄りに下ケース２１２の突出部２１２ｂに対応して孔部（図示せず）が形成されており、この孔部に突出部２１２ｂが嵌入されることで、連結部材２５２が下ケース２１２の下面に突出部２１２ｂを中心として左右方向に回転可能に取り付けられる。また、スリーブ部２５２ｂには、台座２５１に設けられた差込リブ２５１ａを挿入する差込スリット（図示せず）が形成されている。差込リブ２５１ａを前記差込スリットに挿入した後、ピンボルト２５４をスリーブ部２５２ｂに挿入して前記ナットと螺合することによって、連結部材２５２がピンボルト２５４を中心として上下方向に回転移動可能に台座２５１に取り付けられる。
【００４１】
固定部材２５３は、例えば硬質合成樹脂から形成され、略円板状であり、下ケース２１２の突出部２１２ｂ及び連結部材２５２の平板部２５２ａの下側に配設され、突出部２１２ｂ及び平板部２５２ａを下方から支持する。固定部材２５３は、例えば図示しないネジによって突出部２１２ｂ及び連結部材２５２を支持した状態で固定されている。固定部材２５３は、突出部２１２ｂ及び連結部材２５２を支持することによって連結部材２５２が配置位置から外れることを防止する。
【００４２】
以上の各部によってＨＵＤ装置２００が構成されている。図３は、ＨＵＤ装置２００の表示例を示すものである。図３においては、表示画像の虚像Ｖとして、車両情報である車速ＳＰをデジタル表示し、また、ナビゲーション情報であるガイドポイント（右左折を伴う交差点その他の経路を誤りやすい地点）での進行方向を示す経路案内情報ＮＶ１を矢印状のアイコンで表示し、ガイドポイントまでの距離情報ＮＶ２をデジタル表示している。
【００４３】
図１に戻って、本車載システム１０００において、携帯電話１００が車両３００内に持ち込まれて携帯電話１００とＨＵＤ装置２００とが接続されると、それぞれの制御部１０１，２０１は互いに無線通信インターフェース１０２，２０４を介して接続されたことを相互に認識する。なお携帯電話１００は車両３００に持ち込まれると、車室内の任意の場所（例えばダッシュボード上に設置されるクレードルなど）に配置される。
【００４４】
次に、図４を用いてナビゲーション機能を実行する場合の携帯電話１００の制御方法について説明する。なお、以下の制御方法に係るプログラムは、前記ナビゲーションアプリケーションに含まれるものとする。
【００４５】
前記ナビゲーションアプリケーションが起動されると、まず制御部１０１は、ステップＳ１において、目的地までの経路に関するナビゲーション情報を文字、図形及び絵柄などからなる画像として作成する。ここで、「ナビゲーション情報」とは車両３００を目的地まで正しく、快適に導くことを目的に作成される目的地までの走行に有用な情報であって、現在位置情報、目的地及び経路などに基づいて適宜作成される。本実施形態においては、ナビゲーション情報には、ガイドポイントでの方向指示や車線、高速道路のインターチェンジや出口の情報などを含む経路案内情報、ガイドポイントまでの距離情報、目的地までの距離情報及び時間情報、交通情報通信システムなどから受信する渋滞情報及び規制情報が含まれる。
【００４６】
次に、制御部１０１は、ステップＳ２において、ＨＵＤ装置２００と通信可能であるか否かを判断する。具体的には、制御部１０１は、無線通信インターフェース１０２，２０４を介してＨＵＤ装置２００に接続されたことを認識しているか否かを判断する。制御部１０１は、ＨＵＤ装置２００と通信可能であると判断される場合には（ステップＳ２；Ｙｅｓ）、ステップＳ３に移行し、ＨＵＤ装置２００と通信可能でないと判断される場合には（ステップＳ２；Ｎｏ）、ステップＳ９に移行する。
【００４７】
ステップＳ３において、制御部１０１は、ナビゲーション情報（画像）を表示する条件を満たすか否かを判断する。ナビゲーション情報を表示する条件は、ナビゲーション情報の項目毎に適宜設定される。例えば、本実施形態において、経路案内情報やガイドポイントまでの距離情報を表示する条件は現在位置からガイドポイント等までの距離が所定の距離に達した場合であり、目的地までの距離情報及び時間情報を表示する条件は所定時間が経過した場合であり、渋滞情報及び規制情報を表示する条件はかかる情報が目的地までの経路上である場合である。制御部１０１は、ナビゲーション情報を表示する条件を満たすと判断される場合には（ステップＳ３；ＹＥＳ）、ステップＳ４に移行し、ナビゲーション情報を表示する条件を満たさないと判断される場合には（ステップＳ３；ＮＯ）、ステップＳ５に移行する。
【００４８】
ステップＳ４において、制御部１０１は、ステップＳ７において表示する条件を満たすと判断されたナビゲーション情報の画像データをＨＵＤ装置２００に送信する。前記画像データが送信された場合のＨＵＤ装置２００の処理については後で詳述する。制御部１０１は、ステップＳ４を実行した後はステップＳ５に移行する。
【００４９】
ステップＳ５において、制御部１０１は、表示中のナビゲーション情報（画像）を非表示（表示終了）とする条件を満たすか否かを判断する。表示中のナビゲーション情報を非表示とする条件は、ナビゲーション情報の項目毎に適宜設定される。例えば、本実施形態において、経路案内情報やガイドポイントまでの距離情報を非表示とする条件は現在位置がガイドポイントを通過した場合であり、目的地までの距離情報及び時間情報を非表示とする条件は現在位置が目的地に達した場合であり、渋滞情報及び規制情報を非表示とする条件は現在位置がかかる情報に関する地点を通過した場合である。制御部１０１は、ナビゲーション情報を非表示とする条件を満たすと判断される場合には（ステップＳ５；ＹＥＳ）、ステップＳ６に移行し、ナビゲーション情報を非表示とする条件を満たさないと判断される場合には（ステップＳ５；ＮＯ）、ステップＳ７に移行する。
【００５０】
ステップＳ６において、制御部１０１は、ステップＳ５において非表示とする条件を満たすと判断されたナビゲーション情報を非表示とするトリガとなる非表示データ（非表示情報）をＨＵＤ装置２００に送信する。前記非表示データはナビゲーション情報の画像に対応付けられている。前記非表示データが送信された場合のＨＵＤ装置２００の処理については後で詳述する。制御部１０１は、ステップＳ６を実行した後はステップＳ７に移行する。
【００５１】
ステップＳ７において、制御部１０１は、ＨＵＤ装置２００から応答要求データ（応答要求情報）を受信したか否かを判断する。応答要求データについては後で詳述する。制御部１０１は、ステップＳ７において前記応答要求データを受信したと判断される場合は（ステップＳ７；Ｙｅｓ）、ステップＳ８に移行し、前記応答要求データを受信していないと判断される場合は（ステップＳ７；Ｎｏ）、ステップＳ９に移行する。
【００５２】
ステップＳ８において、制御部１０１は、ＨＵＤ装置２００に応答データ（応答情報）を送信する。具体的には、制御部１０１は、表示中のナビゲーション情報（画像）を非表示とする条件を満たすか否かを判断し、その判断結果に基づいてナビゲーション情報の表示を維持するトリガとなる表示維持応答データあるいはナビゲーション情報を非表示とするトリガとなる非表示応答データのいずれかを前記応答データとして送信する。前記表示維持応答データ及び前記非表示応答データは前記画像データと対応付けられている。制御部１０１は、ステップＳ８を実行した後はステップＳ９に移行する。
【００５３】
ステップＳ９において、制御部１０１は、実行中の前記ナビゲーションアプリケーションについて表示操作部１０４の表示を更新する。表示操作部１０４にはナビゲーション情報のほか現在位置及び目的地までの経路を含む地図情報が表示される。
【００５４】
その後、制御部１０１は、前記ナビゲーションアプリケーションが終了するまでステップＳ１〜Ｓ９までの処理を繰り返し実行する。また、制御部１０１は前記ナビゲーションアプリケーションが終了する場合は、ＨＵＤ装置２００との接続を切断する。
【００５５】
次に、図５を用いてＨＵＤ装置２００の制御方法について説明する。
電源が投入されると、制御部２０１は、まずステップＳ１１において無線通信インターフェース２０４を接続待ち状態とし、無線通信インターフェース１０２の各種通信設定を行う。
【００５６】
次に、ステップＳ１２において、制御部２０１は、車両診断コネクタ３０２を介して車両側ＥＣＵ３０１からＣＡＮ通信インターフェース２０３を介して車両情報を取得し、ステップＳ１３において車両情報を示す車両情報画像を作成し、記憶部２０５のメモリ領域２０５ａに保存する。
【００５７】
次に、ステップＳ１４において、制御部２０１は、携帯電話１００から無線通信インターフェース２０４にデータ（前記画像データあるいは前記非表示データ）を受信したか否かを判断する。制御部２０１は、ステップＳ１４においてデータを受信したと判断される場合（ステップＳ１４；Ｙｅｓ）は、ステップＳ１５に移行し、データを受信したと判断されない場合（ステップＳ１４；Ｎｏ）は、ステップＳ１８に移行する。
【００５８】
ステップＳ１５において、制御部２０１は、ステップＳ１４にて携帯電話１００から無線通信インターフェース２０４に受信したデータが前記画像データであるか否かを判断する。制御部２０１は、ステップＳ１５において受信したデータが前記画像データであると判断される場合（ステップＳ１５；Ｙｅｓ）は、ステップＳ１６に移行し、受信したデータが前記画像データでない、すなわち、前記非表示データであると判断した場合（ステップＳ１５；Ｎｏ）は、ステップＳ１７に移行する。
【００５９】
ステップＳ１６において、制御部２０１は、受信した前記画像データを記憶部２０５のメモリ領域２０５ｂに保存する。制御部２０１は、ステップＳ１６の実行後はステップＳ２１に移行する。
【００６０】
ステップＳ１７において、制御部２０１は、受信した前記非表示データに対応付けられた前記画像データを記憶部２０５のメモリ領域２０５ｂから消去する。制御部２０１は、ステップＳ１７の実行後はステップＳ２１に移行する。
【００６１】
ステップＳ１８において、制御部２０１は、記憶部２０５のメモリ領域２０５ｂに前記画像データが保存されているか否かを判断する。制御部２０１は、ステップＳ１８において記憶部２０５のメモリ領域２０５ｂに前記画像データが保存されていると判断される場合（ステップＳ１８；Ｙｅｓ）は、ステップＳ１９に移行し、メモリ領域２０５ｂに前記画像データが保存されていないと判断される場合（ステップＳ１８；Ｎｏ）は、ステップＳ２１に移行する。
【００６２】
ステップＳ１９において、制御部２０１は、前回携帯電話１００から無線通信インターフェース２０４にデータ（前記画像データあるいは前記非表示データ）を受信してから所定時間が経過したか否かを判断する。所定時間は適宜設定される。制御部２０１は、ステップＳ１９において前回携帯電話１００から無線通信インターフェース２０４にデータを受信してから所定時間が経過したと判断される場合（ステップＳ１９；Ｙｅｓ）は、ステップＳ２０に移行し、所定時間が経過していないと判断される場合（ステップS１９；Ｎｏ）は、ステップＳ２１に移行する。
【００６３】
ステップＳ２０において、制御部２０１は、非表示確認処理を実行する。この非表示確認処理の詳細は後で述べる。制御部２０１は、ステップＳ２０の実行後はステップＳ２１に移行する。
【００６４】
ステップＳ２１において、制御部２０１は、制御部２０５のメモリ領域２０５ａに記憶される前記車両情報画像とメモリ領域２０５ｂに記憶される前記画像データとを合成して、表示部２０６に表示する表示画像を作成する。なお、メモリ領域２０５ｂに前記画像データが保存されない場合にはナビゲーション情報を含まない（車両情報のみの）表示画像が作成される。次に、ステップＳ２２において、制御部２０１は表示部２０６の表示画像を更新する。これによって、表示画像として車両情報あるいは車両情報及びナビゲーション情報を含む表示画像が表示部２０６に表示される。制御部２０１は、ステップＳ２２の実行後にステップＳ１２に移行して、ステップＳ１２以降の処理を電源がオフされるまで定期的に（例えば２００ｍｓ周期で）実行する。
【００６５】
次に、ＨＵＤ装置２００の制御方法における前記非表示確認処理について図６を用いて説明する。
前記非表示確認処理にあたり、制御部２０１は、まずステップＳ３１において、無線通信インターフェース２０４を介して携帯電話１００に前記応答データを要求する前記応答要求データを送信する。前記応答要求データを送信することによって、携帯電話１００が正常に前記ナビゲーションアプリケーションを実行していれば、前述のように前記応答データが送信される。一方、携帯電話１００が何らかの原因で前記ナビゲーションアプリケーションを停止あるいは強制終了している場合には前記応答データは送信されないこととなる。
【００６６】
次に、ステップＳ３２において、制御部２０１は、携帯電話１００から無線通信インターフェース２０４に前記応答データを受信したか否かを判断する。制御部２０１は、ステップＳ３２において前記応答データを受信したと判断される場合（ステップＳ３２；Ｙｅｓ）は、ステップＳ３３に移行し、前記応答データを受信していないと判断される場合（ステップＳ３２；Ｎｏ）は、ステップＳ３４に移行する。
【００６７】
ステップＳ３３において、制御部２０１は、ステップＳ３２にて受信した前記応答データがナビゲーション情報を非表示とする前記非表示応答データであるか否かを判断する。制御部はステップＳ３３において受信した前記応答データが前記非表示応答データである場合（ステップＳ３３；Ｙｅｓ）は、ステップＳ３５に移行し、受信した前記応答データが前記非表示応答データでない場合（ステップＳ３３；Ｎｏ）は、前記非表示確認処理を終了する。
【００６８】
ステップＳ３４において、制御部２０１は、前記応答要求データを送信した回数が所定の閾値以上であるか否かを判断する。制御部２０１は、ステップＳ３４において前記応答要求データを送信した回数が前記閾値（送信回数≧閾値）以上である場合（ステップＳ３４；Ｙｅｓ）は、ステップＳ３５に移行し、前記応答要求データを送信した回数が前記閾値未満（送信回数＜閾値）である場合（ステップＳ３４；Ｎｏ）は、ステップＳ３１に戻って再度前記応答要求データを送信する。
【００６９】
ステップＳ３５において、制御部２０１は、前記画像データを記憶部２０５のメモリ領域２０５ｂから消去する。具体的には、携帯電話１００から前記非表示応答データを受信した場合（ステップＳ３３；Ｙｅｓ）は、前記非表示応答データに対応付けられた前記画像データを消去し、携帯電話１００から所定回数（閾値に達するまで）前記応答要求データを送信しても前記応答データを受信しない場合（ステップＳ３４；Ｙｅｓ）は、全ての前記画像データを記憶部２０５のメモリ領域２０５ｂから消去する。制御部２０１は、ステップＳ３５実行後は、前記非表示確認処理を終了する。
【００７０】
次に、上述のようにＨＵＤ装置２００を制御することによる作用及び効果について、図７及び図８を用いて車両３００が交差点の右折を含む目的地までの経路上の地点Ｐ１〜Ｐ５を順に進行した場合を例に挙げて説明する。なお、以下の例においては、ナビゲーション情報として経路誘導情報ＮＶ１及びガイドポイントまでの距離情報ＮＶ２を表示するものとする。また、図８は表示部２０６の表示画像の虚像Ｖを示している。
【００７１】
（車両３００が地点Ｐ１に位置する場合）
地点Ｐ１において、制御部２０１は、車両側ＥＣＵ３０１から車両情報を受信して（ステップＳ１２）、車両情報画像を作成し記憶部２０５のメモリ領域２０５ａに保存する（ステップＳ１３）。一方、地点Ｐ１においては右折を伴う交差点（ガイドポイント）までの距離が十分にあり、経路誘導情報ＮＶ１及びガイドポイントまでの距離情報ＮＶ２の表示条件を満たさない。したがって、携帯電話１００からＨＵＤ装置２００に前記画像データは送信されず、ＨＵＤ装置２００は前記画像データを受信しない（ステップＳ１４；Ｎｏ）。また、記憶部２０５のメモリ領域２０５ｂには前記画像データが保存されていないため（ステップＳ１７；Ｎｏ）、制御部２０１は前記非表示確認処理を実行しない。したがって、ステップＳ２１で合成される表示画像にはナビゲーション情報は含まれず、車両情報ＳＰのみを含む表示画像が表示部２０６に表示される（図８（ａ）参照）。
【００７２】
（車両３００が地点Ｐ２に到達した場合）
地点Ｐ２において、制御部２０１は、車両側ＥＣＵ３０１から車両情報を受信して（ステップＳ１２）、車両情報画像を作成し記憶部２０５のメモリ領域２０５ａに保存して車両情報画像を更新する（ステップＳ１３）。一方、地点Ｐ２においては右折を伴う交差点までの距離が短くなり、経路誘導情報ＮＶ１及びガイドポイントまでの距離情報ＮＶ２の表示条件を満たし、携帯電話１００からＨＵＤ装置２００に前記画像データが送信される。ＨＵＤ装置２００は前記画像データを受信し（ステップＳ１４；Ｙｅｓ、ステップＳ１５；Ｙｅｓ）、制御部２０１は、前記画像データを記憶部２０５のメモリ領域２０５ｂに保存する（ステップＳ１６）。したがって、ステップＳ２１で合成される表示画像は車両情報ＳＰ、経路誘導情報ＮＶ１及びガイドポイントまでの距離情報ＮＶ２を含み、かかる表示画像が表示部２０６に表示される（図８（ｂ）参照）。
【００７３】
（車両３００から地点Ｐ２と地点Ｐ３の間を移動する場合）
地点Ｐ２と地点Ｐ３との間において、制御部２０１は、車両側ＥＣＵ３０１から車両情報を受信して（ステップＳ１２）、車両情報画像を作成し記憶部２０５のメモリ領域２０５ａに保存して車両情報画像を更新する（ステップＳ１３）。一方、地点Ｐ２と地点Ｐ３との間においては、新たに携帯電話１００からＨＵＤ装置２００に前記画像データは送信されず、ＨＵＤ装置２００は前記画像データを受信しない（ステップＳ１４；Ｎｏ）。また、記憶部２０５のメモリ領域２０５ｂには前記画像データが保存されているため（ステップＳ１７；Ｙｅｓ）、前記画像データの受信から所定時間が経過すると（ステップＳ１９；Ｙｅｓ）、制御部２０１は前記非表示確認処理を実行する。制御部２０１は、前記非表示確認処理において前記応答要求データを携帯電話１００に送信する（ステップＳ３１）。ここで携帯電話１００は正常に前記ナビゲーションアプリケーションを実行していれば、前記応答要求データを受信して前記応答データを送信する。この場合には、前記応答データとして前記表示維持応答データがＨＵＤ装置２００に送信される。制御部２０１は、前記表示維持応答データを受信すると（ステップＳ３２；Ｙｅｓ、ステップＳ３３；Ｙｅｓ）、前記記憶部２０５のメモリ領域２０５ｂの前記画像データの消去は行わない。したがって、ステップＳ２１で合成される表示画像は車両情報ＳＰ、経路誘導情報ＮＶ１及びガイドポイントまでの距離情報ＮＶ２を含み、かかる表示画像が表示部２０６に表示（維持）される（図８（ｂ）参照）。
【００７４】
（車両３００が地点Ｐ３に到達した場合）
地点Ｐ３において、制御部２０１は、車両側ＥＣＵ３０１から車両情報を受信して（ステップＳ１２）、車両情報画像を作成し記憶部２０５のメモリ領域２０５ａに保存して車両情報画像を更新する（ステップＳ１３）。一方、地点Ｐ３においては車両２００は右折を伴う交差点に到達するため、ガイドポイントまでの距離情報ＮＶ２が更新されて（０ｍ）、携帯電話１００からＨＵＤ装置２００に前記画像データが送信される。ＨＵＤ装置２００は前記画像データを受信し（ステップＳ１４；Ｙｅｓ、ステップＳ１５；Ｙｅｓ）、制御部２０１は、前記画像データを記憶部２０５のメモリ領域２０５ｂに保存して前記画像データを更新する（ステップＳ１６）。したがって、ステップＳ２１で合成される表示画像は車両情報ＳＰ、経路誘導情報ＮＶ１及びガイドポイントまでの距離情報ＮＶ２（更新された画像）を含み、かかる表示画像が表示部２０６に表示される（図８（ｃ）参照）。
【００７５】
（車両３００から地点Ｐ３と地点Ｐ４の間を移動する場合）
地点Ｐ３と地点Ｐ４との間（交差点内）において、制御部２０１は、車両側ＥＣＵ３０１から車両情報を受信して（ステップＳ１２）、車両情報画像を作成し記憶部２０５のメモリ領域２０５ａに保存して車両情報画像を更新する（ステップＳ１３）。一方、地点Ｐ３と地点Ｐ４との間においては、新たに携帯電話１００からＨＵＤ装置２００に前記画像データは送信されず、ＨＵＤ装置２００は前記画像データを受信しない（ステップＳ１４；Ｎｏ）。また、記憶部２０５のメモリ領域２０５ｂには前記画像データが保存されているため（ステップＳ１７；Ｙｅｓ）、前記画像データの受信から所定時間が経過すると（ステップＳ１９；Ｙｅｓ）、制御部２０１は前記非表示確認処理を実行する。制御部２０１は、前記非表示確認処理において前記応答要求データを携帯電話１００に送信する（ステップＳ３１）。ここで携帯電話１００は正常に前記ナビゲーションアプリケーションを実行していれば、前記応答要求データを受信して前記応答データを送信する。この場合には、前記応答データとして前記表示維持応答データがＨＵＤ装置２００に送信される。制御部２０１は、前記表示維持応答データを受信すると（ステップＳ３２；Ｙｅｓ、ステップＳ３３；Ｙｅｓ）、前記記憶部２０５のメモリ領域２０５ｂの前記画像データの消去は行わない。したがって、ステップＳ２１で合成される表示画像は車両情報ＳＰ、経路誘導情報ＮＶ１及びガイドポイントまでの距離情報ＮＶ２を含み、かかる表示画像が表示部２０６に表示（維持）される（図８（ｃ）参照）。
【００７６】
（車両３００が地点Ｐ４に到達した場合）
地点Ｐ４において、制御部２０１は、車両側ＥＣＵ３０１から車両情報を受信して（ステップＳ１２）、車両情報画像を作成し記憶部２０５のメモリ領域２０５ａに保存して車両情報画像を更新する（ステップＳ１３）。一方、地点Ｐ４においては車両２００は右折を伴う交差点を通過したため、経路誘導情報ＮＶ１及びガイドポイントまでの距離情報ＮＶ２の非表示条件を満たし、携帯電話１００からＨＵＤ装置２００に前記非表示データが送信される。ＨＵＤ装置２００は前記非表示データを受信し（ステップＳ１４；Ｙｅｓ、ステップＳ１５；Ｎｏ）、制御部２０１は、前記画像データを記憶部２０５のメモリ領域２０５ｂから消去する（ステップＳ１７）。したがって、ステップＳ２１で合成される表示画像は経路誘導情報ＮＶ１及びガイドポイントまでの距離情報ＮＶ２を含まず、車両情報ＳＰのみを含む表示画像が表示部２０６に表示される（図８（ａ）参照）。
【００７７】
（ナビゲーションアプリケーションが停止あるいは強制終了した場合）
例えば、車両３００が地点Ｐ３から地点Ｐ４の間を移動する間に、何らかの原因で携帯電話１００の前記ナビゲーションアプリケーションが停止あるいは強制終了すると、従来は車両３００が地点Ｐ４に到達してもＨＵＤ装置２００に前記非表示データが送信されず、ＨＵＤ装置２００は車両３００が地点Ｐ５に移動しても本来非表示とするべき経路誘導情報ＮＶ１及びガイドポイントまでの距離情報ＮＶ２を継続して表示してしまい、表示部２０６に正確な情報が表示されなくなる。
【００７８】
これに対し、本実施形態においては以下のようにして、前記ナビゲーションアプリケーションが停止あるいは強制終了した場合であっても経路誘導情報ＮＶ１及びガイドポイントまでの距離情報ＮＶ２を非表示とし、表示部２０６に表示される情報の正確性を保つ。具体的には、地点Ｐ４から地点Ｐ５の間においては、新たに携帯電話１００からＨＵＤ装置２００に前記画像データは送信されず、ＨＵＤ装置２００は前記画像データを受信しない（ステップＳ１４；Ｎｏ）。また、記憶部２０５のメモリ領域２０５ｂには前記画像データが保存されているため（ステップＳ１７；Ｙｅｓ）、前記画像データの受信から所定時間が経過すると（ステップＳ１９；Ｙｅｓ）、制御部２０１は前記非表示確認処理を実行する。制御部２０１は、前記非表示確認処理において前記応答要求データを携帯電話１００に送信する（ステップＳ３１）。ここで前記ナビゲーションアプリケーションが停止等している携帯電話１００は前記応答要求データを受信しても前記応答データを送信しない。制御部２０１は、前記応答データを受信しないので（ステップＳ３２；Ｎｏ）、送信回数が前記閾値に達するまで繰り返し前記応答要求データを送信し、送信回数が前記閾値に達した場合（ステップＳ３４；Ｙｅｓ）に記憶部２０５のメモリ領域２０５ｂの前記画像データを消去する。これにより、ステップＳ２１で合成される表示画像は経路誘導情報ＮＶ１及びガイドポイントまでの距離情報ＮＶ２を含まず、車両情報ＳＰのみを含む表示画像が表示部２０６に表示されて経路誘導情報ＮＶ１及びガイドポイントまでの距離情報ＮＶ２が非表示となる（図８（ａ）参照）。
【００７９】
以上のように、本実施形態に係るＨＵＤ装置２００は、所定の画像を表示するアプリケーションを備えた携帯電話１００と通信可能に接続されるＨＵＤ装置２００であって、各種情報を表示する表示部２０６と、前記アプリケーションを実行中の携帯端末１００から前記画像（画像データ）あるいは前記画像を非表示とする非表示情報（非表示データ）を受信可能な無線通信インターフェース２０４と、前記画像を記憶する記憶部２０５と、無線通信インターフェース２０４に受信した前記画像を表示部２０６に表示させ、また、無線通信インターフェース２０４に前記非表示情報を受信した場合に前記画像を非表示とする制御部２０１と、を備え、制御部２０１は、前記画像あるいは前記非表示情報を無線通信インターフェース２０４に所定時間受信しない場合に携帯電話１００に応答情報（応答データ）を要求する応答要求情報（応答要求データ）を無線通信インターフェース２０４から送信し、携帯電話１００から無線通信インターフェース２０４に前記応答情報を受信した場合は前記応答情報に基づいて前記画像の表示維持あるいは非表示を決定し、携帯電話１００から無線通信インターフェース２０４に前記応答情報を受信しない場合は前記画像を非表示とする。
これによれば、携帯電話１００で表示される画像をＨＵＤ装置２００の表示部２０６に表示する際に、表示される情報の正確性を向上させることが可能となる。
【００８０】
また、制御部２０１は、携帯電話１００から無線通信インターフェース２０４に前記応答情報が受信されない場合に繰り返し前記応答要求情報を送信し、前記応答要求情報を所定回数送信しても携帯電話１００から無線通信インターフェース２０４に前記応答情報が受信されない場合に、前記画像を非表示とする。
これによれば、携帯電話１００がアプリケーションを停止あるいは強制終了している状態をより精度良く検出することができる。
【００８１】
以上のように、本実施形態に係る車載システム１０００は、所定の画像を表示するアプリケーションを備える携帯電話１００と、各種情報を表示するＨＵＤ装置２００とが互いに通信可能に接続される車載システム１０００であって、携帯電話１００は、前記アプリケーションを実行中に前記画像（画像データ）あるいは前記画像を非表示とする非表示情報（非表示データ）をＨＵＤ装置２００に送信し、ＨＵＤ装置２００は、前記画像を記憶部２０５に記憶し、受信した前記画像を表示部２０６に表示させ、また、前記非表示情報を受信した場合に前記画像を非表示とし、また、前記画像あるいは前記非表示情報を所定時間受信しない場合に携帯電話１００に応答情報（応答データ）を要求する応答要求情報（応答要求データ）を送信し、携帯電話１００から前記応答情報を受信した場合は前記応答情報に基づいて前記画像の表示維持あるいは非表示を決定し、携帯電話１００から前記応答情報を受信しない場合に前記画像を非表示とする。
これによれば、携帯電話１００で表示される画像をＨＵＤ装置２００の表示部２０６に表示する際に、表示される情報の正確性を向上させることが可能となる。
【００８２】
以上のように、本発明の実施形態を説明したが、本発明の車両用表示装置はＨＵＤ装置２００に限定されるものではなく、表示部を直接視認する表示装置に適用されるものであってもよい。また、本発明は携帯電話以外の携帯端末と接続する場合についても利用できる。携帯端末の例としては、携帯電話に近似のタブレット型デバイスやポータブルインターネットデバイス、ＰＤＡ（Personal  Digital  Assistant）などが上げられる。
【００８３】
本実施形態においては、携帯電話１００のアプリケーションとして、ナビゲーション情報（画像）あるいは前記非表示データをＨＵＤ装置２００に送信するナビゲーションアプリケーションを例に挙げたが、本発明の携帯端末のアプリケーションはこれに限定されない。アプリケーションとしては、例えば、後部座席を撮像して乗員（チャイルドシートに座った子供など）の状態を検知し、撮像画像と所定の報知情報（寝ている、泣いている、通常などの状態を示すアイコンなど）を表示し、前記報知情報あるいは前記報知情報を非表示とする非表示データ（非表示情報）を車両用表示装置に送信する車内表示アプリケーションなどが挙げられる。
【００８４】
本実施形態においては、携帯電話１００は前記応答データとして前記表示維持応答データあるいは前記非表示応答データを送信するものであったが、本発明の応答情報は、常に表示維持の応答情報のみが送信され、車両用表示装置の制御部はかかる応答情報を受信した場合に画像の表示の維持を決定するものとしてもよい。この場合、画像の非表示は通常の非表示情報の受信あるいは前記応答情報が受信されない場合に決定されることとなる。
【産業上の利用可能性】
【００８５】
本発明は、車両用表示装置及び携帯端末を車両内で利用する車載システムに好適である。
【符号の説明】
【００８６】
１０００  車載システム
１００  携帯電話
１０１  制御部
１０２  無線通信インターフェース
１０３  記憶部
１０４  表示操作部
１０５  ＧＰＳ受信部
１０６  通信部
１０７  アンテナ部
２００  ＨＵＤ装置
２０１  制御部
２０２  コネクタ
２０３  ＣＡＮ通信インターフェース
２０４  無線通信インターフェース
２０５  記憶部
２０５ａ  メモリ領域
２０５ｂ  メモリ領域
２０６  表示部
２１０  ケース体
２２０  回路基板
２３０  反射部
２４０  コンバイナ
２５０  取付部材
【図１】
2015060135.tif 000003
【図２】
2015060135.tif 000004
【図３】
2015060135.tif 000005
【図４】
2015060135.tif 000006
【図５】
2015060135.tif 000007
【図６】
2015060135.tif 000008
【図７】
2015060135.tif 000009
【図８】
2015060135.tif 000010